(57)【要約】【課題】プルリングの内径が小さい場合でも、指先をプルリングに差し入れ易く、また、従来の射出成形用金型を修正して使用可能なプルリング付口栓を提供する。【解決手段】容器の注出口に取り付けられたスパウト１００と、このスパウトに装着されるキャップ２００とからなり、スパウトの注出筒１２０の内側下方を封鎖板１３０を設けて封止し、この封鎖板の開口予定位置に環状薄肉脆弱線１３２を形成し、この環状薄肉脆弱線の内側近傍位置の一側に、上端部から対向側へプルリング１３４を接続する支柱１３３を立設するプルリング付口栓１０であって、プルリングが、支柱の上端部左右側面にＶ字状に接続する二つの易指挿入用取付部１３５と、易指挿入用取付部の上端部後方に、左右対向させて連設する下端が封鎖板の上方近傍に位置する二つの沈み防止用Ｕ字状部１３６と、沈み防止用Ｕ字状部の後方間に連設する指掛け部１３７とからなる。【選択図】図１
2007084079.tif 000002
【特許請求の範囲】
【請求項１】
容器の注出口に取り付けられたスパウトと、このスパウトに装着されるキャップとからなり、スパウトの注出筒の内側下方を封鎖板を設けて封止し、この封鎖板の開口予定位置に環状薄肉脆弱線を形成し、この環状薄肉脆弱線の内側近傍位置の一側に、上端部から対向側へプルリングを接続する支柱を立設するプルリング付口栓において、プルリングが、支柱の上端部左右側面にそれぞれＶ字状に上方へ接続する対称形状の二つの易指挿入用取付部と、これら易指挿入用取付部の上端部後方に、左右対向させて連設する対称形状で下端が封鎖板の上方近傍に位置する二つの沈み防止用Ｕ字状部と、これら沈み防止用Ｕ字状部の後方間に連設する支柱の対向位置の指掛け部とからなることを特徴とするプルリング付口栓。
【発明の詳細な説明】
【技術分野】
【０００１】
本発明は、液体用紙容器の注出位置に突設し、スパウトとそのスパウトに装着するキャップとからなり、使用するときに、プルリングでスパウトを開口するプルリング付口栓に関するものである。
【背景技術】
【０００２】
従来、食品や非食品の液体内容物に使用される液体用紙容器には、使用時の使い易さを考慮して、例えば、図６に示すように、胴部（２１）の外観が四角柱状で、切り妻屋根形の頂部の傾斜板（２２）に、スパウト（１００）とキャップ（２００）とからなる口栓（１０）を突設した液体用紙容器（２０）が、広い用途範囲にわたって使用されていた。この口栓は、容器の口栓取付孔から突出するスパウトの注出筒に、キャップを通常螺着したものであるが、流通時の密封性の完全さやバージン性の確保、または、使用時の易開封性を兼ね備えるために、例えば図４に示すように、スパウト（１００）の注出筒（１２０）の内側の下方に封鎖板（１３０）を設けて封止し、使用時に開口するために、この封鎖板の所定位置の下面に垂直断面形状が逆Ｖ字状の環状切込み（１３１）を設けて、上面の開口予定位置に環状薄肉脆弱線（１３２）を形成し、この環状薄肉脆弱線の内側近傍の上面の一側に、先端にプルリング（１３４）をもつ支柱（１３３）を立設したものであり、容器を開封するときに口栓を開口するときには、キャップ（２００）を取り外し、スパウト（１００）の注出筒（１２０）の内側に収容されているプルリング（１３４）に指先を引っ掛けて上方へ引っ張って、封鎖板（１３０）の環状薄肉脆弱線（１３２）を引き裂いて開口していた。なお、開口したスパウトは、使用したのちに、キャップを注出筒に螺着させて再封止していた。
【発明の開示】
【発明が解決しようとする課題】
【０００３】
しかしながら、上述した従来のプルリング付口栓は、外径が小さい場合には、スパウトの注出筒の内側に収容されているプルリングの内径が小さく、開封するため指先をプルリングに差し入れたときに、図３に示すように、プルリング（１３４）が指先（３０）で押されて沈んでしまい（矢印で示す）、指先をプルリングに差し入れ難いことがあった。そこで、図５に示すように、支柱（１３３）の上端部をＶ字状に形成し、その両側端からプルリング（１３４）を接続して、指先をプルリングに差し入れ易く改善したものもあったが、十分な効果が得られるものではなかった。
【０００４】
本発明は、上述の従来のプルリング付口栓の問題点を解決したものであり、プルリングの内径が小さい場合でも、指先をプルリングに差し入れ易く、また、従来の射出成形用金型を修正して使用可能なプルリング付口栓を提供するものである。
【課題を解決するための手段】
【０００５】
すなわち、本発明の発明は、容器の注出口に取り付けられたスパウトと、このスパウトに装着されるキャップとからなり、スパウトの注出筒の内側下方を封鎖板を設けて封止し、この封鎖板の開口予定位置に環状薄肉脆弱線を形成し、この環状薄肉脆弱線の内側近傍位置の一側に、上端部から対向側へプルリングを接続する支柱を立設するプルリング付口栓において、プルリングが、支柱の上端部左右側面にそれぞれＶ字状に上方へ接続する対称形状の二つの易指挿入用取付部と、これら易指挿入用取付部の上端部後方に、左右対向させて連設する対称形状で下端が封鎖板の上方近傍に位置する二つの沈み防止用Ｕ字状部と、これら沈み防止用Ｕ字状部の後方間に連設する支柱の対向位置の指掛け部とからなることを特徴とするプルリング付口栓である。
【発明の効果】
【０００６】
本発明のプルリング付口栓は、開封するときに、プルリングの内径が小さいために、図２に示すように、指先（３０）でプルリング（１３４）が下方へ押されても（矢印で示す）、スパウト（１００）のプルリング（１３４）の易指挿入用取付部（１３５）と指掛け部（１３７）との間に、左右対向させて二つの沈み防止用Ｕ字状部（１３６）が設けられており、これらのプルリング沈み防止用Ｕ字状部の下端が封鎖板（１３０）の上面に当接すると、それ以上はプルリングが沈むことがない。このため、指先をプルリングに無理に差し入れることができ、プルリングの指掛け部を人指し指と親指とで摘んで上方へ引っ張って、封鎖板に形成されている環状薄肉脆弱線（１３２）を破断して、スパウト（１００）の封鎖板（１３０）を開口することができる。
【０００７】
また、本発明のプルリング付口栓は、プルリング（１３４）が、図２に示すように、封鎖板（１３０）に立設する支柱（１３３）の上端部左右側面に、易指挿入用取付部（１３５）をＶ字状に上方へ接続して取り付けられいるため、プルリングの内径を大きくすることができる。このため、指先をプルリング内に差し込み易い。
【０００８】
また、従来の射出成形用金型のプルリングの外側を構成する金型部品を加工するだけで、本発明のプルリング付口栓の射出成形用金型として使用することも可能である。
【発明を実施するための最良の形態】
【０００９】
次に、本発明のプルリング付口栓の実施の形態について、図を用いて詳細に説明する。
【００１０】
図１は、本実施形態のプルリング付口栓の構造を示す断面図であり、図２は、そのスパウトを開封するためにプルリングに指先を入れたときの、プルリングの沈みの状態を示す説明図である。
【００１１】
本実施形態のプルリング付口栓（１０）は、図１に示すように、液体用紙容器（２０）の注出位置に突設するスパウト（１００）と、このスパウトの注出筒（１２０）に螺合して装着するキャップ（２００）とから構成されるものである。
【００１２】
スパウト（１００）は、図１に示すように、環状台座部（１１０）の上面に、外周面にキャップ（２００）との雄ねじ（１２１）をもつ注出筒（１２０）を立設し、この注出筒の内側下方を封鎖板（１３０）を設けて封止し、この封鎖板の所定位置の下面に垂直断面形状が逆Ｖ字状の環状切込み（１３１）を設けて、上面の開口予定位置に環状薄肉脆弱線（１３２）を形成し、この環状薄肉脆弱線の内側近傍の上面の一側に、先端にプルリング（１３４）をもつ支柱（１３３）を立設するものである。
【００１３】
図１に示すプルリング（１３４）は、上面投影形状が円形状であり、支柱側から、左右対向させてＶ字状に上方へ支柱に取り付ける易指挿入用取付部（１３５）、これら易指挿入用取付部に左右対向させて連設する沈み防止用Ｕ字状部（１３６）、そして、これら沈み防止用Ｕ字状部の後方間に連設させて支柱の対向位置に設ける指掛け部とから構成されるものである。沈み防止用Ｕ字状部（１３６）の下端と封鎖板（１３０）の上面までの隙間は、開封時に指先をプルリングに差し込んで、人指し指と親指とで指掛け部を摘みやすいように設けるものである。
【００１４】
なお、支柱の背面に支柱補強リブ（１３８）を設け、環状台座部（１１０）の外周面上方位置に、口栓（１０）を液体用紙容器（２０）の口栓取付孔（２１）に取り付けるときに必要な仮止め突起を、周方向へ等間隔に複数箇設け、環状台座部の外周面下端に、容器に熱融着させるフランジ（１４０）を周設するものである。また、スパウトは、通常、封
鎖板に形成する環状薄肉脆弱線が破断可能な低密度ポリエチレンなどの熱可塑性樹脂を用いて、射出成形法により作製するものである。
【００１５】
キャップ（２００）は、図１に示すように、天板と周壁とからなり、天板（２１０）の下面に、スパウト（１００）を封止するインナー封止リング（２１１）（外周面をスパウト口部内周面に密接）を垂設し、周壁（２２０）の内周面に、スパウトとの雌ねじ（２２１）を設けるものである。なお、キャップは、通常、適度の剛性をもつポリプロピレンなどの熱可塑性樹脂を用いて、射出成形法により作製するものである。
【００１６】
容器（２０）への口栓（１０）の取り付けは、図１に示すように、容器の口栓取付孔（２１）から口栓のスパウト（１００）の環状台座部（１１０）より上方部分を突出させて、超音波シール法により容器の内面とスパウトのフランジ（１４０）の上面とを熱融着するものである。
【００１７】
そして、図１に示す本実施形態のプルリング付口栓（１０）を取り付けた容器を開封するときには、まず、キャップ（２００）を取り外し、スパウト（１００）の注出筒（１２０）の内側に収容されているプルリング（１３４）に指先を引っ掛けて上方へ引っ張って、封鎖板（１３０）の環状薄肉脆弱線（１３２）を引き裂いて開口するものである。開口したスパウトは、使用したのちに、キャップを注出筒に螺着させて再封止するものである。
【００１８】
なお、本発明のプルリング付口栓のプルリングの構造は、プルリングで開封する、例えば、プルリング付ヒンジキャップやプルリング付中栓のプルリングの構造に適用することができる。
【図面の簡単な説明】
【００１９】
【図１】本発明の一実施形態のプルリング付口栓の構造を示す断面図である。
【図２】開封するためにプルリングに指先を入れたときの、本発明の一実施形態のプルリング付口栓におけるプルリングの沈みを示す説明図である。
【図３】開封するためにプルリングに指先を入れたときの、従来の一例のプルリング付口栓におけるプルリングの沈みを示す説明図である。
【図４】従来の一例のプルリング付口栓の構造を示す断面図である。
【図５】従来のプルリング付口栓の他の一例のプルリングの形状を示す断面図である。
【図６】一例の液体用紙容器の斜視図である。
【符号の説明】
【００２０】
１０……口栓
２０……容器
２１……口栓取付孔
２２……傾斜板
２３……胴部
３０……指先
１００……スパウト
１１０……環状台座部
１１１……仮止め突起
１２０……注出筒
１２１……雄ねじ
１３０……封鎖板
１３１……環状切込み
１３２……環状薄肉脆弱線
１３３……支柱
１３４……プルリング
１３５……易指挿入用取付部
１３６……沈み防止用Ｕ字状部
１３７……指掛け部
１３８……支柱補強リブ
１４０……フランジ
２００……キャップ
２１０……天板
２１１……インナー封止リング
２２０……周壁
２２１……雌ねじ
【図１】
2007084079.tif 000003
【図２】
2007084079.tif 000004
【図３】
2007084079.tif 000005
【図４】
2007084079.tif 000006
【図５】
2007084079.tif 000007
【図６】
2007084079.tif 000008